(57)【特許請求の範囲】
【請求項１】
低圧配電線の幹線へ分岐線を接続する低圧分岐線接続構造であって、
複数の幹線と、複数の分岐線と、前記複数の幹線と複数の分岐線とを圧縮接続するスリーブと、ＥＰゴム蓋と、ＥＰゴムケースと、前記ＥＰゴムケースと、該ケースに挿入された前記スリーブ、前記スリーブに圧縮接続された複数の幹線及び複数の分岐線と、の間隙を埋めるエポキシ樹脂とを有し、
前記ＥＰゴムケースは、前記複数の幹線と前記複数の分岐線とが圧縮接続された前記スリーブが嵌め込まれるスリーブ嵌合部と、前記ＥＰゴム蓋が嵌め込まれるＥＰゴム蓋嵌合凹部とを具備し、
前記ＥＰゴム蓋は、前記複数の幹線と前記複数の分岐線とが貫通する複数の幹線用穴と複数の分岐線用穴と、前記ＥＰゴムケースに嵌め込まれるＥＰゴム蓋嵌合凸部とを具備し、
前記ＥＰゴム蓋の前記複数の幹線用穴と前記複数の分岐線用穴とに前記複数の幹線と前記複数の分岐線とが貫通され、被覆が除去されたそれぞれの線の端部が前記スリーブにより圧縮接続され、
前記複数の幹線と前記複数の分岐線とが圧縮接続された前記スリーブが、前記ＥＰゴムケースの前記スリーブ嵌合部に挿入され、
前記間隙に前記エポキシ樹脂が流し込まれて硬化し、
前記ＥＰゴム蓋の前記ＥＰゴム蓋嵌合凸部が、前記ＥＰゴムケースのＥＰゴム蓋嵌合凹部に押し込まれて形成されることを特徴とする低圧分岐線接続構造。
【発明の詳細な説明】
【技術分野】
【０００１】
本発明は、低圧配電線の幹線への分岐線接続に係り、詳しくは、低コストで絶縁および防水が実現できる低圧分岐線接続構造に関する。
【背景技術】
【０００２】
家庭用または事業所用として１００Ｖ、２００Ｖの電力を、複数の電力供給場所へ配電する場合、低圧配電線の幹線に複数の分岐線が接続され分岐されることにより、配電されている。図３は、従来の低圧分岐線接続構造を示す構造図である。図３において、従来の低圧分岐線接続構造２００は、複数の幹線３０および複数の分岐線４０の一端の被覆が除去された端部３２、４２が、スリーブ５０により一括圧縮されて接続され、ビニルケース９０に挿入された後、第１エポキシ樹脂９３を流し込み硬化させて固定し、さらに各線から受けるせん断応力に耐えるため、第２エポキシ樹脂９５を所定の量だけ流し込み硬化させている。
【０００３】
第１エポキシ樹脂９３は、端部３２、４２と被覆との境界を越え、一部被覆を覆った位置まで流し込まれて硬化し、第２エポキシ樹脂９５は、さらにその上に所定の位置まで流し込まれて硬化している。複数の幹線３０および複数の分岐線４０の他端の被覆が除去された端部は、幹線用内キャップ６５、幹線用外キャップ６０、分岐線用内キャップ７５、分岐線用外キャップ７０がそれぞれ被されている。各外キャップ６０、７０と被覆との境界には、防水テープ８０が巻かれている。
【０００４】
このように、従来の低圧分岐線接続構造２００は、複数の分岐線４０がスリーブ５０により複数の幹線３０に一括接続され、ビニルケース９０に挿入されて、第１、第２エポキシ樹脂９３、９５が流し込まれている。第１、第２エポキシ樹脂９３、９５は高価なため、コストダウンを図るためには、注形量を減らす必要がある。ところがビニルケース９０は、塩化ビニルディッピングにより成形されているため肉厚を確保することが難しく、ビニルケース９０の厚みを厚くしてスリーブ５０との隙間を狭め、第１、第２エポキシ樹脂９３、９５の注形量を減らすことが困難であった。
【発明の概要】
【発明が解決しようとする課題】
【０００５】
本発明は、このような問題を解決するためになされたものであり、その目的は、低圧配電線の幹線へ分岐線を接続するための、低コストで絶縁および防水が実現できる低圧分岐線接続構造を提供する。
【課題を解決するための手段】
【０００６】
本発明の低圧分岐線接続構造は、低圧配電線の幹線へ分岐線を接続する低圧分岐線接続構造であって、複数の幹線と、複数の分岐線と、複数の幹線と複数の分岐線とを圧縮接続するスリーブと、ＥＰゴム蓋と、ＥＰゴムケースと、前記ＥＰゴムケースと該ケースに挿入されたスリーブ、及びスリーブに圧縮接続された複数の幹線及び複数の分岐線との間隙を埋めるエポキシ樹脂とを有し、ＥＰゴムケースは、複数の幹線と複数の分岐線とが圧縮接続されたスリーブが嵌め込まれるスリーブ嵌合部と、ＥＰゴム蓋が嵌め込まれるＥＰゴム蓋嵌合凹部とを具備し、ＥＰゴム蓋は、複数の幹線と複数の分岐線とが貫通する複数の幹線用穴と複数の分岐線用穴と、ＥＰゴムケースに嵌め込まれるＥＰゴム蓋嵌合凸部とを具備し、ＥＰゴム蓋の複数の幹線用穴と複数の分岐線用穴とに複数の幹線と複数の分岐線とが貫通され、被覆が除去されたそれぞれの線の端部がスリーブにより圧縮接続され、複数の幹線と複数の分岐線とが圧縮接続されたスリーブが、ＥＰゴムケースのスリーブ嵌合部に挿入され、間隙にエポキシ樹脂が流し込まれて硬化し、ＥＰゴム蓋のＥＰゴム蓋嵌合凸部が、ＥＰゴムケースのＥＰゴム蓋嵌合凹部に押し込まれて形成されることを特徴とする。
【発明の効果】
【０００７】
本発明によれば、低圧配電線の幹線へ分岐線を接続するための、低コストで絶縁および防水が実現できる低圧分岐線接続構造を提供することができる。
【図面の簡単な説明】
【０００８】
【図１】本発明による低圧分岐線接続構造を示す構造図。
【図２】本発明による低圧分岐線接続構造の作製工程を示す工程図。
【図３】従来の低圧分岐線接続構造を示す構造図。
【発明を実施するための形態】
【実施例】
【０００９】
本発明の実施の形態について、図を用いて説明する。図１は、本発明による低圧分岐線接続構造を示す構造図である。図１において、低圧分岐線接続構造１００は、ＥＰゴムケース１０とＥＰゴム蓋２０とを除いては、図３の場合と同じであるため、重複部分の説明は省略する。図１ａにおいて、ＥＰゴムケース１０は、複数の幹線３０と複数の分岐線４０とが圧縮接続されたスリーブ５０が嵌め込まれるスリーブ嵌合部１２と、ＥＰゴム蓋２０が嵌め込まれるＥＰゴム蓋嵌合凹部１４とを具備している。図１ｂにおいて、ＥＰゴム蓋２０は、複数の幹線３０と複数の分岐線４０とが貫通する複数の幹線用穴２２と複数の分岐線用穴２４と、ＥＰゴムケース１０に嵌め込まれるＥＰゴム蓋嵌合凸部２６とを具備している。
【００１０】
ＥＰゴムケース１０とＥＰゴム蓋２０は、素材がＥＰゴムであるため、金型成形により肉厚を所定の厚さに制御することが可能となる。このため、肉厚を所定の厚さにすることにより、ＥＰゴムケース１０と、該ケースに挿入されたスリーブ５０、及びスリーブ５０に圧縮接続された複数の幹線３０及び複数の分岐線４０と、の間隙を所望の間隙に狭めることができ、エポキシ樹脂１６の注形量を減らすことが可能となる。またＥＰゴム蓋２０は、防水構造であると共に、各線から受けるせん断応力を緩和するため、従来の第２のエポキシ樹脂９５の注入が不要となり、さらに注形量を減らすことが可能となる。
【００１１】
図２は、本発明による低圧分岐線接続構造の作製工程を示す工程図である。図１を基に図２のＳ−１において、複数の幹線３０と複数の分岐線４０とが、ＥＰゴム蓋２０の複数の幹線用穴２２と複数の分岐線用穴２４に貫通され、被覆が除去されたそれぞれの線の端部３２、４２が、スリーブ５０により圧縮接続される。Ｓ−２において、複数の幹線３０と複数の分岐線４０とが圧縮接続されたスリーブ５０が、ＥＰゴムケース１０のスリーブ嵌合部１２に嵌め込まれる。
【００１２】
Ｓ−３、Ｓ−４において、ＥＰゴムケース１０と、該ケースに挿入されたスリーブ５０、及びスリーブ５０に圧縮接続された複数の幹線３０及び複数の分岐線４０と、の間隙にエポキシ樹脂１６が流し込まれて硬化する。Ｓ−５において、ＥＰゴム蓋２０のＥＰゴム蓋嵌合凸部２６が、ＥＰゴムケース１０のＥＰゴム蓋嵌合凹部１４に嵌め込まれて低圧分岐線接続構造１００の形成が完了される。
【００１３】
以上説明したように本発明によれば、ＥＰゴムケースの肉厚を制御してエポキシ樹脂の注形量を減らすことが可能となると共に、ＥＰゴム蓋２０は、防水構造であると共に、各線から受けるせん断応力を緩和するため、従来の第２のエポキシ樹脂の注入が不要となり、さらに注形量を減らすことが可能となる。このため、低圧配電線の幹線へ分岐線を接続するための、低コストで絶縁および防水が実現できる低圧分岐線接続構造を提供することができる。
【符号の説明】
【００１４】
１０  ＥＰゴムケース
１２  スリーブ嵌合部
１４  ＥＰゴム蓋嵌合凹部
１６  エポキシ樹脂
２０  ＥＰゴム蓋
２２  幹線用穴
２４  分岐線用穴
２６  ＥＰゴム蓋嵌合凸部
３０  幹線
３２  幹線端部
４０  分岐線
４２  分岐線端部
５０  スリーブ
６０  幹線用外キャップ
６５  幹線用内キャップ
７０  分岐線用外キャップ
７５  分岐線用内キャップ
８０  防水テープ
９０  ビニルケース
９３  第１エポキシ樹脂  
９５  第２エポキシ樹脂
１００  本発明による低圧分岐線接続構造
２００  従来の低圧分岐線接続構造
【図１】
0005605838.tif 000002
【図２】
0005605838.tif 000003
【図３】
0005605838.tif 000004